(57)【要約】【課題】発電設備制御システムおよびその方法を提供する。【解決手段】発電設備運転制御システム１は、発電設備・機器２の観測点に設けたセンサーからの状態量を入手し、当該観測部位の異常を検知する異常検知手段３と、この異常検知手段によって検知された異常内容に基づいて運転パターンを予め設定しておき、実際に入力された異常信号から発電設備・機器２の運転モードを選択し、出力する運転モード選択手段４と、運転モード選択手段４が選択した運転モードへの移行を自動で行うか手動で行うかを切り替える自動／手動切替手段５と、この運転モード選択手段で選択された運転パターンに基づいて発電設備・機器２の運転状態を制御する運転制御手段６とを具備する。【選択図】  図１
2006099469.tif 000002
【特許請求の範囲】
【請求項１】
発電設備・機器の観測点に設けたセンサーからの状態量を入手し、当該観測部位の異常を検知する異常検知手段と、
この異常検知手段によって検知された異常内容に基づいて運転パターンを予め設定しておき、実際に入力された異常信号から前記発電設備・機器の運転モードを選択し、出力する運転モード選択手段と、
この運転モード選択手段で選択された運転パターンに基づいて前記発電設備・機器の運転状態を制御する運転制御手段とを具備することを特徴とする発電設備運転制御システム。
【請求項２】
前記運転モード選択手段が選択した運転モードへの移行を自動で行うか手動で行うかを切り替える自動／手動切替手段をさらに具備することを特徴とする請求項１記載の発電設備運転制御システム。
【請求項３】
前記異常検知手段、運転モード選択手段および運転制御手段の各々とインターフェースを介して送受信可能に接続されており、前記異常検知手段、運転モード選択手段および運転制御手段から出力される情報を記録し保存可能に構成されており、必要時に保存した情報を読み出して表示手段に表示可能に構成される管理用計算機をさらに具備することを特徴とする請求項１記載の発電設備運転制御システム。
【請求項４】
前記運転モード選択手段は、予め設定される複数の運転モードの中から１つの運転モードを選択した旨を信号出力する運転モード選択部と、
前記運転モード選択部が選択した運転モードを予め設定した通知先に通知する選択運転モード通知部とを備えることを特徴とする請求項１記載の発電設備運転制御システム。
【請求項５】
前記運転モード選択手段は、予め設定される複数の運転モードの中から１つの運転モードを選択した旨を信号出力する運転モード選択部を備え、
この運転モード選択部は、通常時の運転状態を維持する運転モードを選択する通常運転維持モード選択部と、
現在の運転状態を保持する運転モードを選択する状態保持モード選択部と、
前記発電設備・機器の負荷を現状から予め設定された負荷に降下する運転モードを選択する負荷降下モード選択部と、
前記発電設備・機器の通常停止動作を行う運転モードを選択する通常停止モード選択部と、
前記発電設備・機器の緊急停止動作を行う運転モードを選択する緊急停止モード選択部とを備えることを特徴とする請求項１記載の発電設備運転制御システム。
【請求項６】
前記負荷降下モード選択部および通常停止モード選択部は、信号出力するまでの猶予時間を発生させる猶予時間発生部を各々さらに有することを特徴とする請求項５記載の発電設備運転制御システム。
【請求項７】
前記負荷降下モード選択部および通常停止モード選択部は、信号出力するまでの猶予時間を発生させる猶予時間発生部を各々にさらに有し、前記猶予時間発生部は、予め設定された異なる複数の猶予時間の中から選択される１つの猶予時間を発生可能に構成されることを特徴とする請求項５記載の発電設備運転制御システム。
【請求項８】
前記運転モード選択手段は、運転モードを選択する複数の判定ロジックを有し、運転モード判定時に、これら複数の判定ロジックのうち状況の変化に応じて適する１つの判定ロジックを選択する運転モード判定部を備えることを特徴とする請求項１記載の発電設備運転制御システム。
【請求項９】
発電設備・機器の異常を検知する異常検知ステップと、
この異常検知ステップで検知された異常内容に基づき前記発電設備・機器の運転モードを選択する運転モード選択ステップと、
この運転モード選択ステップで選択された運転モードに移行するべく前記発電設備・機器の運転制御を行う運転制御ステップとを備えることを特徴とする発電設備・機器の運転制御方法。
【発明の詳細な説明】
【技術分野】
【０００１】
本発明は発電設備運転制御システムに係わり、特に一定時間無人運転を行うことを可能とする発電設備運転制御システムおよびその運転制御方法に関する。
【背景技術】
【０００２】
火力発電設備等の発電設備では、発電所内に発電設備の運転状態を監視する運転員がいない場合であっても、安全に発電設備を運転させるべく、発電設備の運転に関係する状態量を検出し、検出した状態量が予め設定された閾（しきい）値を超えているか否かにより発電設備の運転制御を行う発電設備運転制御システムを設けている。
【０００３】
このような従来の発電設備運転制御システムでは、発電設備の運転に関係する状態量が閾値以下（または未満）となるように発電設備機器の制御を行うことで、安全に発電設備を運転させるように図っている。
【０００４】
上述した技術の詳細は、例えば、特許文献１に記載される。
【特許文献１】特開平１０−２２８３０１号公報
【発明の開示】
【発明が解決しようとする課題】
【０００５】
上記特許文献１に記載のように火力発電設備の場合は、故障要因が多く存在し、警報要因の数も多いものでは１０００以上となるため、無人運転時に異常が発生することも少ない。
【０００６】
しかしながら、警報要因には、発電設備の運転上支障がない程度の軽微なものから即座に停止しないと発電設備に支障をきたす重度のものまで幅広くある。
【０００７】
したがって、発電設備の運転を制御する場合、状況に応じた適切な対応を採ることが必要となるが、従来の発電設備運転制御システムでは、１つの警報要因に対して１つの対応を採るため、場合によっては、状況に応じた適切な対応を採ることができない場合が生じ得る。例えば、検知される異常の内容が同じであっても、運転員がいる場合といない場合等状況が異なれば、採るべき対応は必ずしも一致せず、一方の場合では適切な対応であっても、他方の場合では必ずしも適切な対応とならない場合も起こり得る。
【０００８】
そこで、上述した事情を考慮して、本発明は、運転員を必要とすることなく、異常発生時に発電設備の安全性の向上および稼働率をできるだけ高く維持する観点から見て、より適切な運転を行い得る発電設備制御システムおよびその運転制御方法を提供することを目的とする。
【０００９】
また、本発明の他の目的は、異常の発生した時間帯や運転員の人数等の状況の変化を考慮した柔軟な対応を採り得る発電設備制御システムおよびその運転制御方法を提供することにある。
【課題を解決するための手段】
【００１０】
本発明に係る発電設備運転制御システムは、上述した課題を解決するため、請求項１に記載したように、発電設備・機器の観測点に設けたセンサーからの状態量を入手し、当該観測部位の異常を検知する異常検知手段と、この異常検知手段によって検知された異常内容に基づいて運転パターンを予め設定しておき、実際に入力された異常信号から前記発電設備・機器の運転モードを選択し、出力する運転モード選択手段と、この運転モード選択手段で選択された運転パターンに基づいて前記発電設備・機器の運転状態を制御する運転制御手段とを具備することを特徴とする。
【００１１】
上述した課題を解決するため、本発明に係る発電設備運転制御システムは、請求項５に記載したように、前記運転モード選択手段は、予め設定される複数の運転モードの中から１つの運転モードを選択した旨を信号出力する運転モード選択部を備え、この運転モード選択部は、通常時の運転状態を維持する運転モードを選択する通常運転維持モード選択部と、現在の運転状態を保持する運転モードを選択する状態保持モード選択部と、前記発電設備・機器の負荷を現状から予め設定された負荷に降下する運転モードを選択する負荷降下モード選択部と、前記発電設備・機器の通常停止動作を行う運転モードを選択する通常停止モード選択部と、前記発電設備・機器の緊急停止動作を行う運転モードを選択する緊急停止モード選択部とを備えることを特徴とする。
【００１２】
本発明に係る発電設備運転制御システムは、上述した課題を解決するため、請求項８に記載したように、前記運転モード選択手段は、運転モードを選択する複数の判定ロジックを有し、運転モード判定時に、これら複数の判定ロジックのうち状況の変化に応じて適する１つの判定ロジックを選択する運転モード判定部を備えることを特徴とする。
【００１３】
本発明に係る発電設備の運転制御方法は、上述した課題を解決するため、請求項９に記載したように、発電設備・機器の異常を検知する異常検知ステップと、この異常検知ステップで検知された異常内容に基づき前記発電設備・機器の運転モードを選択する運転モード選択ステップと、この運転モード選択ステップで選択された運転モードに移行するべく前記発電設備・機器の運転制御を行う運転制御ステップとを備えることを特徴とする。
【発明の効果】
【００１４】
本発明に係る発電設備運転制御システムおよびその運転制御方法によれば、運転員を必要とすることなく、異常発生時に発電設備の安全性の向上および稼働率をできるだけ高く維持する観点から見て、より適切な運転モードを自動的に選択して移行することができる。従って、運転員の削減、換言すれば、運転員の人件費の節約に寄与することができ、発電設備の経済性を向上することができる。
【００１５】
また、複数の判定基準で選択すべき運転モードの判定を行うことができるので、異常の発生した時間帯や運転員の人数等の状況の変化に応じて運転モードの判定を行うことができ、無人運転時においても、より望ましいと考えられる対応を採ることができる。
【発明を実施するための最良の形態】
【００１６】
以下、本発明に係る発電設備運転制御システムおよびその運転制御方法を実施するための最良の形態について図面を参照して説明する。
【００１７】
［第１の実施形態］
図１に本発明の第１の実施形態に係る発電設備運転制御システムの一実施例である発電設備運転制御システム１の構成を概略的に表した概略構成図を示す。
【００１８】
図１によれば、発電設備運転制御システム１は、発電設備・機器２の異常を検知する異常検知手段３と、発電設備・機器２の運転モードを選択する運転モード選択手段４と、運転モード選択手段４が選択した運転モードへの移行を自動で行うか手動で行うかを切り替える自動／手動切替手段５と、発電設備・機器２の運転状態を制御する運転制御手段６とを具備する。
【００１９】
また、発電設備運転制御システム１は、異常検知手段３、運転モード選択手段４、自動／手動切替手段５および運転制御手段６から出力される各情報を管理するべくコンピュータとしての管理用計算機７をさらに具備し、管理用計算機７は、異常検知手段３、運転モード選択手段４、自動／手動切替手段５および運転制御手段６の各々とインターフェースを介して送受信可能に接続されている。
【００２０】
発電設備運転制御システム１の異常検知手段３は、発電設備・機器２の各所に設置したセンサーから状態量（例えば、温度，圧力…等）を取得し、取得した状態量が通常運転時の範囲を逸脱した状態にある場合、異常と判断して異常を検知する。そして、異常を検知した旨の情報（以下、異常検知情報とする）は、異常検知信号として運転モード選択手段４へ出力される。
【００２１】
運転モード選択手段４は、異常検知手段３から受信した異常検知信号に基づき運転モードを選択する。選択された運転モードの情報（以下、選択運転モード情報とする）は、運転モード選択信号として自動／手動切替手段５へ出力されると共に、外部の装置、例えば、中央給電指令所９へ出力される。
【００２２】
自動／手動切替手段５は、運転モード判定手段４の判定結果を受けて、運転モードの移行を手動で行うか自動で行うかを切り替える。自動／手動切替手段５において、運転モード選択手段４が選択した運転モードへの移行が自動的になされる場合（自動移行の場合）、運転モード選択手段４から入力された運転モード選択信号を運転制御手段６へ出力する。
【００２３】
尚、図１に示す発電設備運転制御システム１は、自動／手動切替手段５において自動移行が選択されている場合を表している。一方、自動／手動切替手段５において手動移行が選択されているには、ユーザが発電設備・機器２の運転操作を行い、直接的に選択運転モード情報を運転制御手段６に入力する。
【００２４】
運転制御手段６は、中央給電指令所９から出力される負荷の指令値を受け取るように構成され、受け取った負荷値となるように制御対象となる発電設備・機器２の機器を制御する。また、運転制御手段６は、運転モード選択手段４から出力された選択運転モード情報に基づき、運転制御信号を制御対象となる発電設備・機器２の機器へ制御信号を送信する。
【００２５】
管理用計算機７は、異常検知手段３、運転モード選択手段４、自動／手動切替手段５および運転制御手段６から出力される各情報を受け取り、記録して保存したり、表示手段（図は省略）に表示させたりすることができる。すなわち、異常検知信号、運転モード選択信号、運転モード移行の切替方式の選択状態および運転制御信号を記録して保存したり、事後的に読み出して表示手段に表示させることができる。
【００２６】
図２は、発電設備運転制御システム１の詳細構成図である。尚、図２に示す発電設備運転制御システム１においては、図を簡略化する観点から管理用計算機７を省略している。
【００２７】
図２によれば、発電設備運転制御システム１の異常検知手段３は、発電設備・機器２を構成する設備・機器の状態量を検知すべく各所の観測点に少なくとも１つ以上の異常検知装置１１を備えている。異常検知装置１１が取得する発電設備・機器２の運転に関する様々な状態量には、異常が検知されてもほとんど問題がない状態量から異常が検知されると即座に運転を停止しないと発電設備・機器２にとって致命的となる状態量まで幅広くある。また、例えば、発電設備・機器２が火力発電の設備の場合、異常を検知する状態量が１０００点以上と膨大な点数となることもある。
【００２８】
このため、発電設備運転制御システム１では、無人化運転に適切に対応できるように例えば、後述する複数（５つ）の運転状態（運転モード）を設定し、異常検知装置１１から出力される異常検知信号に対して設定した運転モードの１つを選択するように運転モード選択手段４を構成する。
【００２９】
異常検知装置１１としては様々の装置が考えられるが、例えば、発電設備運転制御システム１では、既存の発電設備・機器２で一般的に使用されている警報システム（以下、単に既存警報システムとする）に採用される異常検知装置１１を利用する。
【００３０】
尚、発電設備運転制御システム１では、既存警報システムを異常検知手段３としてそのまま採用している。既存警報システムを異常検知手段３としてそのまま採用するのは、既存警報システムが、既存の発電設備・機器２で一般的に使用される異常検知装置１１を少なくとも１つ以上有する構成であり、これらの異常検知装置１１は、技術的に確立され実績も豊富であること、また、既存警報システムとしても、信頼性が高く、新規な投資が不要となる利点があることによる。
【００３１】
運転モード選択手段４は、例えば、通常運転維持、状態保持、負荷降下、通常停止および緊急停止の５つの運転モードが設定されている。運転モード選択手段４は、異常検知装置１１から取得した１つ以上の異常検知信号によってどの設備・機器のどのような異常であるかを判定し、上記５つの運転モードのうち適当な１つの運転モードを選択するように構成される。
【００３２】
尚、運転モードの数を５つとしたのは、例えば、２つ（通常運転維持、通常停止）のように少ないと、負荷の低下で対応できるような状態の場合であっても、通常停止とせざるを得ないため、発電設備・機器２の稼働率が低下する問題を招来するからである。また、例えば、５０個のように多過ぎると、異常検知装置１１との対応付けや運転モードの判定プログラム（後述する他の実施形態の場合）が複雑化するため、修理作業や維持作業が困難となるからである。
【００３３】
従って、発電設備・機器２の稼働率を低下させないために、運転モード選択手段４では、運転モードの数を少なくとも３個以上とし、また、異常検知装置１１との対応付け等を単純化する観点から複雑とならない範囲内で運転モードの個数を定める。設定する運転モード数の上限は、状況で異なるが、目安としては、１５個以下が好ましく、より好ましくは１０個以下、さらに好ましくは７個以下である。
【００３４】
また、運転モード選択手段４は、より詳細に説明すれば、上記５つの運転モードを選択した旨を信号出力する運転モード選択部として、通常運転維持モード選択部１３、状態保持モード選択部１４、負荷降下モード選択部１５、通常停止モード選択部１６および緊急停止モード選択部１７を備える。
【００３５】
通常運転維持モード選択部１３は、予め設定された運転モードのうち通常運転維持の運転モード（以下、通常運転維持モードとする）を選択し、運転モードが通常運転維持モードである旨の選択運転モード情報として運転モード選択信号を出力する。ここで、通常運転維持モードとは、通常時の運転状態を維持する運転モードであり、中央給電指令所９からの指令通りの負荷値となるように発電設備・機器２を運転する運転モードである。
【００３６】
状態保持モード選択部１４は、予め設定された運転モードのうち状態保持の運転モード（以下、状態保持モードとする）を選択し、運転モードが状態保持モードである旨の選択運転モード情報として運転モード選択信号を出力する。ここで、状態保持モードとは、現在の運転状態を保持する運転モードであり、中央給電指令所９から負荷増加の指令があっても現在の負荷を維持する。
【００３７】
負荷降下モード選択部１５は、予め設定された運転モードのうち負荷降下の運転モード（以下、負荷降下モードとする）を選択し、運転モードが負荷降下モードである旨の選択運転モード情報として運転モード選択信号を出力する。ここで、負荷降下モードとは、発電設備・機器２の負荷を現状から予め設定された負荷（例えば、定格負荷の５０％）に降下する運転モードである。
【００３８】
通常停止モード選択部１６は、予め設定された運転モードのうち発電設備・機器２が通常である場合において通常行う停止動作（以下、通常停止動作とする）を行う運転モード（以下、通常停止モードとする）を選択し、運転モードが通常停止モードである旨の選択運転モード情報として運転モード選択信号を出力する。ここで、通常停止モードとは、発電設備・機器２が通常の場合に行う停止動作を実行する運転モードである。
【００３９】
緊急停止モード選択部１７は、予め設定された運転モードのうち発電設備・機器２が運転を継続すると危機的な状況となるような異常が検出された場合における停止動作（以下、緊急停止動作とする）を行う緊急停止の運転モード（以下、緊急停止モードとする）を選択し、運転モードが緊急停止モードである旨の選択運転モード情報として運転モード選択信号を出力する。ここで、緊急停止モードとは、発電設備・機器２が緊急時に行う停止動作を実行する運転モードである。
【００４０】
運転モード選択手段４が異常検知装置１１から取得した異常検知信号（異常検知情報）に対して運転モードを選択するためには、各異常検知装置１１と設定した運転モードとを予め対応付ける必要がある。
【００４１】
そこで、運転モード選択手段４は、各異常検知装置１１と設定した運転モードとを予め対応付けるべく、各異常検知装置１１から出力される異常検知信号が対応する運転モードを選択する運転モード選択部（通常運転維持モード選択部１３、状態保持モード選択部１４、負荷降下モード選択部１５、通常停止モード選択部１６および緊急停止モード選択部１７のいずれか）に入力されるように構成される。
【００４２】
また、運転モード選択手段４は、運転モード選択部が選択した運転モードを、例えば、中央給電指令所９等の予め設定された外部の通知先に通知する選択運転モード通知部１８をさらに備える。
【００４３】
選択運転モード通知部１８には、通常運転維持モード選択部１３、状態保持モード選択部１４、負荷降下モード選択部１５、通常停止モード選択部１６および緊急停止モード選択部１７から出力される運転モード選択信号が入力される。選択運転モード通知部１８は、入力された運転モード選択信号を、例えば、中央給電指令所９等の予め設定された外部に通知する。
【００４４】
自動／手動切替手段５は、切替スイッチ２０を備え、切替スイッチ２０のＯＮとＯＦＦとを切り替えることで、運転モード選択手段４から出力される運転モード選択信号を運転制御手段６に伝送する経路を確保する（切替スイッチ２０がＯＮの場合）、または遮断することができる（切替スイッチ２０がＯＦＦの場合）。ＯＦＦの場合は、運転員の判断により運転制御手段を操作する。
【００４５】
運転制御手段６は、発電設備・機器２の負荷を制御する負荷制御装置２３と、発電設備・機器２の起動および通常時における停止動作を行う起動／停止装置２４と、発電設備・機器２の緊急時における停止動作を行う緊急停止装置２５とを備える。
【００４６】
負荷制御装置２３は、通常時は、中央給電指令所９からの負荷指令に応じた負荷となるように発電設備・機器２の負荷制御を行う。
【００４７】
また、負荷制御装置２３は、運転モード選択手段４の状態保持モード選択部１３および負荷降下モード選択部１４から出力された運転モード選択信号を自動／手動切替手段５を経由して入力する自動運転の場合、または、手動運転の場合、状態保持モードまたは負荷降下モードとする運転制御信号を発電設備・機器２へ出力する。
【００４８】
起動／停止装置２４は、運転モード選択手段４の通常停止モード選択部１５から出力された運転モード選択信号を自動／手動切替手段５を経由して入力する自動運転の場合、または、通常停止モードを選択する手動運転の場合、通常停止モードとする運転制御信号を発電設備・機器２へ出力する。
【００４９】
緊急停止装置２５は、運転モード選択手段４の緊急停止モード選択部１５から出力された運転モード選択信号を自動／手動切替手段５を経由して入力する自動運転の場合、または、緊急停止モードを選択する手動運転の場合、緊急停止モードとする運転制御信号を発電設備・機器２へ出力する。
【００５０】
このように構成される発電設備運転制御システム１では、発電設備・機器２に異常が発生した場合に、自動／手動切替手段５をＯＮとすれば、運転制御手段６が運転モード選択信号を受信して、受信した運転モード選択信号に基づき運転モード選択手段４が選択した運転モードを自動的に選択することができる。すなわち、運転員（ユーザ）が介在することなく運転モードを選択することができ、例えば、発電設備・機器２の運転の継続や安全な停止等の適切な運転制御を行うことができるので、発電設備・機器２の運転無人化を図ることができる。
【００５１】
また、異常検知手段３として既存の発電設備・機器２で広く使用されている異常検知装置１１を備える警報システムを採用することで、新規な異常検知装置１１を購入する費用が不要となるだけではなく、信頼性をより高めることができる。
【００５２】
さらに、選択し得る運転モードを、少な過ぎず、多過ぎずある程度の個数（例えば、５つ）用意することで、発電設備・機器２の稼働率の低下を必要最小限度に食い止めることができ、運用性を確保することができる。
【００５３】
一方、発電設備運転制御システム１は、運転モード選択手段４が選択した運転モードが通常運転継続モード以外の場合、運転制御手段６が運転モード選択信号を受信して、受信した運転モード選択信号に基づき運転モードを選択する際に、併せて、選択した運転モードがどの運転モードであるかを中央給電指令所９に通知するので、中央給電指令所９では、例えば、図に示していない他の発電設備に起動指令を発する等の安定した電力を供給するための対応策を迅速に策することができ、安定した電力供給に寄与することができる。
【００５４】
また、発電設備運転制御システム１では、自動／手動切替手段５を具備しているので、発電設備・機器２の無人運転と有人運転との切り替えが可能となる。従って、一部時間帯で発電設備・機器２を無人運転することができ、発電設備・機器２の運転に要する人員の削減、すなわち、人件費の削減に貢献することができる。
【００５５】
さらに、運転モード選択信号を管理用計算機７が受信し、運転モード選択手段４の選択した運転モードを表示手段に表示するので、運転員が発電設備・機器２の運転制御を行う際に、運転モード選択手段４が選択した運転モードを確認しつつ運転操作を行うことができ、運転モードの選択ミスの減少、すなわち、より安全な発電設備・機器２の運用に寄与することができる。
【００５６】
他方、発電設備運転制御システム１では、管理用計算機７を具備し、管理用計算機７が異常検知手段３、運転モード選択手段４、自動／手動切替手段５および運転制御手段６から出力される各情報（異常検知信号、運転モード選択信号、運転モード移行の切替方式の選択状態および運転制御信号）を受け取り、記録して保存することができる。従って、事後的に記録したデータを読み出して表示手段に表示させることができ、運転員が異常発生原因の究明のために行う検証作業に貢献することができる。
【００５７】
尚、発電設備運転制御システム１では、自動／手動切替手段５を具備しているが、必ずしも、自動／手動切替手段５を具備していなくても良く、発電設備運転制御システム１が自動／手動切替手段５を具備していなくても、発電設備・機器２の運転無人化を図ることはできる。
【００５８】
また、発電設備運転制御システム１では、運転モード選択手段４（選択運転モード通知部１８）が運転モードを移行する場合、選択した運転モードが中央給電指令所９でもわかるように運転モードを移行する旨の情報を中央給電指令所９に提供しているが、情報提供先は必ずしも移行予定の運転モードの情報提供先は中央給電指令所９に限定する必要なはく、例えば、異常が火災の場合は発電設備・機器２の管轄消防署等にも併せて提供するようにしてもよい。
【００５９】
運転モード選択手段４が運転モードを移行する旨の情報を中央給電指令所９以外にも通知（情報提供）することによる利点は、発電設備・機器２に発生する異常が単に発電設備・機器２を停止するだけではなく、例えば、火災の場合には消防署に連絡するなど他の機関への通報が必要となる異常が検知された場合であっても、無人運転時にも必要な連絡を自動的に行うことができるので、有人運転時の場合と同様に発電設備・機器２の運用における信頼性を確保することができることである。
【００６０】
尚、発電設備運転制御システム１において、運転モード選択手段４が移行予定の運転モードの情報を中央給電指令所９等の外部に提供しない場合、運転モード選択手段４は、移行予定の運転モードの情報を外部に提供する選択運転モード通知部１８を備えていなくても差し支えない。
【００６１】
さらに、異常検知手段３、運転モード選択手段４、自動／手動切替手段５および運転制御手段６から出力される各情報（異常検知信号、運転モード選択信号、運転モード移行の切替方式の選択状態および運転制御信号）を記録して保存する必要がないのであれば、発電設備運転制御システム１は、管理用計算機７を必ずしも具備していなくても良い。
【００６２】
次に、本発明に係る発電設備・機器２の運転制御方法（以下、発電設備運転制御方法とする）について説明する。
【００６３】
発電設備運転制御方法は、発電設備運転制御システム１が発電設備運転制御を行うことでなされる。ここでは、発電設備運転制御システム１の自動／手動切替手段５がＯＮ、すなわち、運転モード選択手段４から出力される運転モード選択信号が運転制御手段６に入力される場合を想定して説明する。
【００６４】
発電設備運転制御は、発電設備・機器２の異常を検知する異常検知ステップと、異常検知ステップで検知された異常内容に基づき発電設備・機器２の運転モードを選択する運転モード選択ステップと、運転モード選択ステップで選択された運転モードに移行するべく発電設備・機器２の運転制御を行う運転制御ステップとを備える。
【００６５】
発電設備運転制御システム１において、発電設備運転制御がなされると、まず、異常検知ステップがなされる。異常検知ステップでは、異常検知手段３が発電設備・機器２の異常を検知する。そして、異常検知手段３の異常検知装置１１が異常を検知すると、異常を検知した異常検知装置１１から異常検知信号が出力される。異常を検知した異常検知装置１１から異常検知信号が出力されると、異常検知ステップは完了する。
【００６６】
異常検知ステップが完了し、運転モード選択手段４が異常検知信号を受信すると、続いて、運転モード選択ステップがなされる。運転モード選択ステップでは、異常検知信号を受信した運転モード選択手段４の運転モード選択部（通常運転維持モード選択部１３、状態保持モード選択部１４、負荷降下モード選択部１５、通常停止モード選択部１６および緊急停止モード選択部１７）のいずれかが運転モード選択信号を出力する。運転モード選択手段４から運転モード選択信号が出力されると、運転モード選択ステップは完了する。
【００６７】
運転モード選択ステップが完了し、運転制御手段６が運転モード選択手段４から出力運転モード選択信号を受信すると、続いて、運転制御ステップがなされる。運転制御ステップでは、出力運転モード選択信号を受信した運転制御手段６が、運転モード選択手段４が選択した運転モードとなるように運転制御信号を出力して発電設備・機器２の負荷を制御する。運転制御手段６が発電設備・機器２の負荷を制御する運転制御信号を出力すると、運転制御ステップは完了し、運転制御ステップの完了をもって、運転制御の全ステップを完了する。
【００６８】
このような運転制御を経てなされる発電設備運転制御方法によれば、発電設備・機器２に異常が発生した場合に、異常検知ステップ、運転モード選択ステップおよび運転制御ステップを順次に行うことで、発生した異常に応じて発電設備・機器２の適切なモードの運転制御を行うことができる。
【００６９】
また、異常検知ステップ、運転モード選択ステップおよび運転制御ステップは、発電設備運転制御システム１が、運転員（ユーザ）が介在することなく順次に行うことができるので、発電設備・機器２の運転無人化を図ることができる。
【００７０】
尚、運転モード選択ステップにおいて、運転モード選択手段４は、運転モード選択信号を出力するだけでなく、中央給電指令所９等の発電設備・機器２の外部に運転モード選択信号等の運転モード選択情報を併せて提供しても構わない。
【００７１】
また、異常検知ステップにおいて異常検知信号の記録を、運転モード選択ステップにおいて運転モード選択信号の記録を、運転制御ステップで運転制御信号の記録を併せて行うようにしても構わない。さらに、運転モード移行の切替方式の選択状態を自動／手動切替手段５から取得する自動／手動切替状態記録ステップが付加されていても構わない。
【００７２】
［第２の実施形態］
本発明の第２の実施形態に係る発電設備運転制御システムの一実施例である発電設備運転制御システム１Ａは、図１に示す発電設備運転制御システム１に対して、運転モード選択手段４を具備する代わりに、運転モード判定選択手段３０を具備する点で相違するが、その他の点は実質的に同一である。すなわち、図１において、発電設備運転制御システム１を発電設備運転制御システム１Ａに、運転モード選択手段４を運転モード判定選択手段３０に読み替えれば、読み替えた図１が発電設備運転制御システム１Ａの構成を概略的に表す概略構成図となる。
【００７３】
図３に発電設備運転制御システム１Ａが具備する運転モード判定選択手段３０の構成を表した構成図を示す。
【００７４】
図２および図３によれば、運転モード判定選択手段３０は、運転モード選択部を備える運転モード選択手段４に対して、入力される異常検知信号からいずれの運転モードを選択するかを判定する運転モード判定部３２をさらに備える点で相違するが、その他の点は実質的に異ならないことから、同一の符号を付して説明を省略する。
【００７５】
図３によれば、発電設備運転制御システム１Ａは、異常検知手段３、運転モード判定選択手段３０、自動／手動切替手段５、運転制御手段６および管理用計算機７を具備し、発電設備運転制御を行い得るように構成される。発電設備運転制御システム１Ａの運転モード判定選択手段３０は、通常運転維持モード選択部１３、状態保持モード選択部１４、負荷降下モード選択部１５、通常停止モード選択部１６、緊急停止モード選択部１７および選択運転モード通知部１８に加え、運転モード判定部３２をさらに備える。
【００７６】
運転モード判定選択手段３０の運転モード判定部３２は、異常検知装置１１と選択する運転モード（運転モード選択部）との対応関係を表したテーブルデータを有し、異常検知信号を受信すると、テーブルデータを参照して異常検知信号に対応する運転モードを判定することができるように構成される。
【００７７】
運転モード判定部３２が参照するテーブルデータの内容を表すテーブルデータ表は、後述する図７のテーブルデータ表４０において、設定状態欄４１が１つになったものである。図７によれば、設定状態欄４１が１つであれば、異常検知装置１１に対して、選択する運転モードは一義的に決まるので、運転モード判定部３２は、異常を検知した異常検知装置１１がわかれば、選択する運転モードを一義的に判定することができる。
【００７８】
また、運転モード判定部３２は、運転モードの判定を行うと、判定した運転モードが選択されるように、判定した運転モードが選択されたことを意味する運転モード選択信号を出力する運転モード選択部に運転モードの判定結果を異常検知信号と同様の信号として運転モード選択部に与えることができるように構成される。
【００７９】
従って、運転モード判定部３２は、異常検知信号を受信すると、対応付けられた１の運転モードを判定し、判定した運転モードを選択するべく、運転モードの判定結果を該当する運転モード選択部のいずれかに与えることができる。
【００８０】
例えば、発電設備・機器２のタービンの軸受温度が通常の範囲よりもかなり高温となっている（発電設備・機器２またはタービンに致命的なダメージが生じた緊急事態と考えられる）ことを検知する異常検知装置１１からの異常検知信号を運転モード判定部３２が受信した場合を想定する。また、運転モード判定部３２が参照するテーブルデータにおいて、発電設備・機器２のタービンの軸受温度が通常の範囲よりもかなり高温となっていることを検知する異常検知装置１１と対応する運転モードは緊急停止モードであるとする。
【００８１】
この場合、運転モード判定部３２は、異常検知信号を受信すると、対応する運転モードとして緊急停止モードと判定する。そして、緊急停止モードを選択するという運転モード判定結果を緊急停止モード選択部１７に与える。そして、運転モード判定結果を受け取った緊急停止モード選択部１７は、運転モード選択信号を出力し、出力された運転モード選択信号が運転制御手段６の緊急停止装置２５に受信される。緊急停止装置２５が行う動作は、発電設備運転制御システム１の場合と同様である。
【００８２】
一方、発電設備運転制御システム１Ａは、発電設備運転制御システム１と同様に発電設備運転制御を行う。
【００８３】
図３に示す発電設備運転制御システム１Ａが行う発電設備運転制御と、図２に示す発電設備運転制御システム１が行う発電設備運転制御とでは、運転モード選択ステップの代わりに、運転モード選択ステップに対して運転モード判定部３２が運転モードを判定する処理ステップを付加した運転モード判定選択ステップがなされる点において相違するがその他の点は実質的に同一である。
【００８４】
発電設備運転制御システム１Ａによれば、発電設備運転制御システム１に対して、運転モード選択手段４の代わりに運転モード判定選択手段３０を具備することで、発電設備運転制御システム１によって得られる効果に加え、発電設備運転制御システム１で要する初期設定段階での異常検知装置１１とこの異常検知装置１１に対応する運転モード選択部との対応付け（電気的接続作業）における煩わしさを解消することができる。
【００８５】
また、発電設備運転制御システム１Ａでは、異常検知装置１１と運転モードとを関連付けたテーブルデータを設定し、運転モード判定部３２が設定したテーブルデータを参照するように構成されるので、運転モードの判定を運転モード判定部３２に実行させることができるとともに、運転モード数や対応する運転モードの変更等の設定変更の際に要する手間をより少なくすることができる。
【００８６】
さらに、事前にテーブルデータを作成して異常種別から運転モードを一義的に決定しておくロジック方式を採用することにより、事前に運転モードの判定を行う判定ロジックを吟味、評価することができるので、発電設備・機器２の運用計画を行う上で、または、信頼性を確保する上で有利となる。
【００８７】
尚、発電設備運転制御システム１Ａでも、発電設備運転制御システム１と同様に、必ずしも、自動／手動切替手段５を具備していなくても良いし、運転モード選択手段４が、移行予定の運転モードの情報を中央給電指令所９に提供するように構成されていなくても良いし、異常検知信号、運転モード選択信号、運転モード移行の切替方式の選択状態および運転制御信号を記録して保存する必要がないのであれば、管理用計算機７を具備していなくても良い。この点は、後述する他の発電設備運転制御システム１Ｂ，１Ｃについても同様である。
【００８８】
また、発電設備運転制御システム１Ａが行う発電設備運転制御についても、発電設備運転制御システム１が行う発電設備運転制御と同様に、運転モード選択ステップにおいて、中央給電指令所９等の予め設定された外部に運転モード選択信号等の運転モード選択情報の提供を併せて行うようにしても構わない。
【００８９】
また、異常検知ステップにおいて異常検知信号の記録を、運転モード選択ステップにおいて運転モード選択信号の記録を、運転制御ステップで運転制御信号の記録を併せて行うようにしても構わない。さらに、運転モード移行の切替方式の選択状態を自動／手動切替手段５から取得する自動／手動切替状態記録ステップが付加されていても構わない。
【００９０】
これらの点は、後述する他の発電設備運転制御システム１Ｂ，１Ｃが行う発電設備運転制御についても同様である。
【００９１】
［第３の実施形態］
図４に本発明の第３の実施形態に係る発電設備運転制御システムの一実施例である発電設備運転制御システム１Ｂが具備する運転モード選択手段４Ａの構成を表した構成図を示す。
【００９２】
図２および図４によれば、発電設備運転制御システム１Ｂは、発電設備運転制御システム１に対して、運転モード選択手段４を具備する代わりに運転モード選択手段４Ａを具備する点において相違するが、その他の点は実質的に異ならないので、同一の符号を付して説明を省略する。
【００９３】
図４によれば、発電設備運転制御システム１Ｂは、異常検知手段３、運転モード選択手段４Ａ、自動／手動切替手段５、運転制御手段６および管理用計算機７を具備し、発電設備運転制御を行い得るように構成される。
【００９４】
運転モード選択手段４Ａは、運転モード選択手段４における負荷降下モード選択部１５および通常停止モード選択部１６の代わりにそれぞれ負荷降下モード選択部１５Ａおよび通常停止モード選択部１６Ａを備える。すなわち、運転モード選択手段４Ａは、通常運転維持モード選択部１３、状態保持モード選択部１４、負荷降下モード選択部１５Ａ、通常停止モード選択部１６Ａ、緊急停止モード選択部１７および選択運転モード通知部１８を備える。
【００９５】
負荷降下モード選択部１５Ａおよび通常停止モード選択部１６Ａは、異常が発生した機器や設備の停止や発電設備・機器２の負荷を降下させる場合において、通常停止や負荷の降下を開始するまでの時間（以下、猶予時間とする）を何通りか定められている。
【００９６】
これは、異常が発生した機器や設備の通常停止や発電設備・機器２の負荷を降下させる場合、電力系統としては、他の停止中の発電設備（図外）を起動するなどして不足する負荷を補わなくてはならないが、一般に発電設備の起動には時間を要するので、突然、停止や負荷の降下が発生すると、その対処が困難となるからである。
【００９７】
そこで、負荷降下モード選択部１５Ａおよび通常停止モード選択部１６Ａでは、停止や負荷の降下が発生するまでの時間が長ければ長いほど減少する負荷を補うことが容易となることに鑑みて、異常が発生した機器や設備の停止や発電設備・機器２の負荷を降下させる場合に、猶予時間を設けて、負荷減少の影響を最小にするように図っている。
【００９８】
図５は、負荷降下モード選択部１５Ａに関する猶予時間τの説明図である。尚、図５において、横軸は時間［ｔ］であり、縦軸は、負荷［ＭＷ］である。また、ｔ＝０を運転モード選択手段４Ａが異常検知信号を受信した時点とする。
【００９９】
図５によれば、負荷降下モード選択部１５Ａでは、猶予時間τが、例えば、τ＝０，１，３［ｈｏｕｒ］のように異なる時間で複数個設定される。負荷降下モード選択部１５Ａは、異常検知信号を受信してから設定された猶予時間τ後に運転モード選択信号（負荷降下モード選択信号）を出力するように構成される。
【０１００】
より具体的には、負荷降下モード選択部１５Ａは、負荷降下モード選択部１５に対して、猶予時間を生じさせる猶予時間発生部３４をさらに有し、例えば、図５に示すように、第１の猶予時間τ１（τ１＝０）を発生させる第１の猶予時間発生部３４Ａ、第２の猶予時間τ２（τ２＝１）を発生させる第２の猶予時間発生部３４Ｂおよび第１の猶予時間τ３（τ３＝３）を発生させる第３の猶予時間発生部３４Ｃを有する。
【０１０１】
負荷降下モード選択部１５Ａでは、異常検知装置１１から送信された異常検知信号を第１の猶予時間発生部３４Ａ、第２の猶予時間発生部３４Ｂおよび第３の猶予時間発生部３４Ｃのいずれかが受信するように構成される。つまり、負荷降下モード選択部１５Ａは、検知される異常内容、すなわち、異常を検知する異常検知装置１１によって、異なる猶予時間τ１，τ２，τ３を発生させることができる。
【０１０２】
一方、通常停止モード選択部１６Ａについては、図５において示されていないが、負荷降下モード選択部１５Ａの場合と同様である。つまり、通常停止モード選択部１６Ａは、通常停止モード選択部１６に加え、猶予時間発生部３４として、例えば、図５に示すように、第１の猶予時間発生部３４Ａ、第２の猶予時間発生部３４Ｂおよび第３の猶予時間発生部３４Ｃをさらに有するように構成される。
【０１０３】
発電設備運転制御システム１Ｂによれば、発電設備運転制御システム１に対して、負荷降下モード選択部１５および通常停止モード選択部１６を備える運転モード選択手段４の代わりに負荷降下モード選択部１５Ａおよび通常停止モード選択部１６Ａを備える運転モード選択手段４Ａを具備することで、発電設備運転制御システム１によって得られる効果に加え、比較的軽度の異常発生時に、電力系統に与える影響を最小限に食い止めつつ、無人運転を行うことができる。
【０１０４】
また、負荷降下モードや通常停止モード等の発電設備・機器２の負荷を減少させるような運転モードを選択する場合に、負荷降下モード選択部１５Ａおよび通常停止モード選択部１６Ａでは、発生した異常の内容によって負荷の減少を開始するまでの猶予時間を設定できるので、電力系統に接続される他の発電設備（図外）によるバックアップを最大限期待することができ、異常発生が電力系統に与える悪影響を最小限に食い止めることができる。
【０１０５】
尚、負荷降下モード選択部１５Ａおよび通常停止モード選択部１６Ａは、ユーザのスイッチ切り替え操作によりスイッチの切り替えを自在に行う切替スイッチ（図を省略）を設けて、ユーザのスイッチ切り替え操作により異常検知信号の入力先を第１の猶予時間発生部３４Ａ、第２の猶予時間発生部３４Ｂおよび第３の猶予時間発生部３４Ｃのいずれかに切り替え可能に構成されていても構わない。
【０１０６】
［第４の実施形態］
図６に本発明の第４の実施形態に係る発電設備運転制御システムの一実施例である発電設備運転制御システム１Ｃが具備する運転モード判定選択手段３０Ａの構成を表した構成図を示す。
【０１０７】
図３および図６によれば、発電設備運転制御システム１Ｃは、運転モード判定選択手段３０を具備する発電設備運転制御システム１Ａに対して、運転モード判定選択手段３０Ａを具備する点で相違するが、その他の点は実質的に異ならないので、同一の符号を付して説明を省略する。
【０１０８】
発電設備運転制御システム１Ｃは、異常検知手段３、運転モード判定選択手段３０Ａ、自動／手動切替手段５、運転制御手段６および管理用計算機７を具備し、発電設備運転制御を行い得るように構成される。発電設備運転制御システム１Ｃの運転モード判定選択手段３０Ａは、運転モード判定選択手段３０に対し、運転モード判定部３２の代わりに運転モード判定部３２Ａを備える点で相違する。
【０１０９】
運転モード判定部３２Ａと運転モード判定部３２との相違は、運転モード判定部３２が１つの異常検知信号に対して１つの運転モードを判定するのに対して、運転モード判定部３２Ａでは、１つ異常検知信号に対して複数の運転モードを判定する点にある。つまり、運転モード判定部３２および運転モード判定部３２Ａが運転モードを判定する際の判定基準となる判定ロジックが１つであるか複数であるかが両者の相違点である。運転モードを判定する判定基準は、参照するテーブルデータの異常検知装置１１と選択する運転モード（運転モード判定部）との対応付けの仕方で決まる。
【０１１０】
図７に、運転モード判定部３２Ａが参照するテーブルデータの内容をテーブルデータ表４０として表した説明図を示す。
【０１１１】
図７に示すテーブルデータ表４０では、異常検知手段３が備える各異常検知装置１１（第１の異常検知装置〜第ｎの異常検知装置：ｎは任意の自然数）と対応する、例えば、４つ等の複数の異なる状態を表す設定状態欄４１（４１ａ，４１ｂ，４１ｃ，４１ｄ）を有し、設定状態欄４１には、例えば、４つの異なる状態の一例として、１日の時間帯を任意に区切った４つの時間帯（第１の時間帯〜第４の時間帯）が設定される。
【０１１２】
図７によれば、設定状態欄４１ａには第１の時間帯として０時〜６時が、設定状態欄４１ｂには第２の時間帯として６時〜８時が、設定状態欄４１ｃには第３の時間帯として８時〜１８時が、設定状態欄４１ｄには、第４の時間帯として１８時〜２４時がそれぞれ設定される。
【０１１３】
各設定状態欄４１ａ，４１ｂ，４１ｃ，４１ｄには、異常検知手段３が備える各異常検知装置１１と対応する運転モード、すなわち、受信した異常検知信号の送信先となる運転モード選択部（通常運転維持モード選択部１３、状態保持モード選択部１４、負荷降下モード選択部１５、通常停止モード選択部１６および緊急停止モード選択部１７のいずれか）が設定される。尚、図７において設定状態欄４１に設定される運転モードは、モードを省略して示す。
【０１１４】
従って、運転モード判定部３２Ａが図７に示すテーブルデータ表４０を表すテーブルデータを参照するものとし、第１の異常検知装置１１が異常を検知した場合、図７に示すテーブルデータ表４０によれば、運転モード判定部３２Ａは、異常を検知した時間帯が０時〜６時であれば通常停止モードを、８時〜１８時であれば通常運転維持モードを選択する運転モードとして判定することになる。
【０１１５】
同じ異常を検知した場合でも時間帯に応じて選択する運転モードを複数判定することができるという長所は、発電設備・機器２を運転する際に有人運転と無人運転とを組み合わせて行う場合に有効である。
【０１１６】
例えば、夜間は無人運転を行い、昼間は有人運転を行う場合、無人運転開始直後に発生した異常については、翌朝までは無人運転が継続するので安全側の対応が望ましいと考えられる。逆に、翌朝近くの無人運転期間終了間際に発生した異常については、有人運転が開始されれば運転員による様々な対応が可能となることを考慮すれば、有人運転に移行するまでの少ない時間をできるだけ負荷を減らさない方向の対応が望ましいと考えられる。
【０１１７】
そこで、発電設備運転制御システム１Ｃでは、異常の発生した時間帯や運転員の人数等の状況の変化に応じて運転モードの判定ができるように、発生した異常が同じであれば、同じ判定結果となる運転モード判定部３２の代わりに、運転モード判定部３２Ａを具備する構成としている。
【０１１８】
発電設備運転制御システム１Ｃによれば、運転モード判定部３２Ａを具備することで、同じ異常が発生した場合であっても、異常の発生した時間帯や運転員の人数等の状況の変化に応じて運転モードの判定を行うことができ、無人運転時においても、より望ましいと考えられる対応を採ることができる。
【０１１９】
尚、図７に示す設定状態欄４１は、１日の時間帯が設定されているが、これは、一例に過ぎず、例えば、運転員の人数や、月日や、気温や湿度等、様々な範疇で想定可能であり時間帯に限定されるものではない。
【０１２０】
以上、本発明に係る発電設備運転制御システムおよびその運転制御方法によれば、運転員を必要とすることなく、異常発生時に発電設備・機器２の安全性の向上および稼働率をできるだけ高く維持する観点から見て、より適切な運転モードを自動的に選択して移行することができる。従って、運転員の削減、換言すれば、運転員の人件費の節約に寄与することができ、発電設備・機器２の経済性を向上することができる。
【０１２１】
また、異常検知手段３として、専用の異常検知装置１１を必要とせず、異常検知装置１１を複数備える従来（公知）の警報システムを利用することで、より経済的な発電設備運転制御システムを構築することができる。
【０１２２】
さらに、選択し得る運転モードを、少な過ぎず、多過ぎずある程度の個数（例えば、５つ）用意することで、発電設備・機器２の稼働率の低下を必要最小限度に食い止めることができ、運用性を確保することができる。また、運転モード判定選択手段３０，３０Ａを具備する場合、運転モードを判定する判定ロジックの複雑化および肥大化を回避することができるので、運転モード判定選択手段３０，３０Ａの作成および維持費用を抑制でき、発電設備・機器２の経済性の維持に貢献することができる。
【０１２３】
一方、運転モード選択手段４が選択した運転モードが通常運転継続モード以外の場合、運転制御手段６が運転モード選択信号を受信して、受信した運転モード選択信号に基づき運転モードを選択する際に、併せて、選択した運転モードがどの運転モードであるかを中央給電指令所９に通知することができる。
【０１２４】
従って、発電設備・機器２が無人運転時においても、中央給電指令所９では、例えば、図外の他の発電設備に起動指令を発する等の安定した電力を供給するための対応策を迅速に策することができ、電力系統の供給信頼性を向上に寄与することができる。
【０１２５】
また、自動／手動切替手段５を具備することで、発電設備・機器２の無人運転と有人運転との切り替えが可能となるので、一部時間帯で発電設備・機器２を無人運転することができ、発電設備・機器２の運転に要する人員の削減、すなわち、人件費の削減に貢献することができる。さらに、有人運転時においても、運転モード選択手段４が選択する運転モードを運転員が知ることができるので、運転員の異常対応を支援することができ、発電設備・機器２の信頼性を向上に寄与することができる。
【０１２６】
他方、運転モード選択信号を管理用計算機７が受信し、運転モード選択手段４の選択した運転モードを表示手段に表示するので、運転員が発電設備・機器２の運転制御を行う際に、運転モード選択手段４が選択した運転モードを確認しつつ運転操作を行うことができ、運転モードの選択ミスの減少、すなわち、より安全な発電設備・機器２の運用に寄与することができる。
【０１２７】
また、管理用計算機７では、異常検知手段３、運転モード選択手段４、自動／手動切替手段５および運転制御手段６から出力される各情報を受け取り、記録して保存することができるので、事後的に記録したデータを読み出して表示手段に表示させることができ、運転員が異常発生原因の究明のために行う検証作業に貢献することができる。
【０１２８】
運転モード判定選択手段３０，３０Ａを具備する場合、予め設定した判定ロジックによって異常発生時の運転モードの選択を行うので、より信頼性の高い無人運転を行うことに寄与できる。また、異常発生内容と選択する運転モードとの関係について、事前に十分検証できるので、従来の発電設備運転制御システムよりも信頼性を高めることができる。
【０１２９】
また、運転モード判定選択手段３０Ａを具備する場合においては、複数の判定基準で選択すべき運転モードの判定を行うことができるので、異常の発生した時間帯や運転員の人数等の状況の変化に応じて運転モードの判定を行うことができ、無人運転時においても、より望ましいと考えられる対応を採ることができる。
【０１３０】
運転モード選択手段４Ａを具備する場合、発生した異常の内容によって負荷減少を開始するまでの猶予時間を設定できるので、電力系統に接続される他の発電設備によるバックアップを最大限期待することができ、異常発生が電力系統に与える影響を最小限化することができる。
【０１３１】
尚、本発明に係る発電設備運転制御システムでは、制御対象となる発電設備・機器２は必ずしも単一である必要はない。また、上述した実施の形態に係るシステムに限定されず、異なる実施の形態に係る発電設備運転制御システムを組み合わせたものも包含される。
【０１３２】
例えば、運転モード選択手段４Ａに運転モード判定部３２をさらに備えて構成される運転モード判定選択手段を具備する発電設備運転制御システムは、発電設備運転制御システム１Ａおよび発電設備運転制御システム１Ｂの構成要素を組み合わせて構成される発電設備運転制御システムであり、本発明に係る発電設備運転制御システムとして包含される。
【図面の簡単な説明】
【０１３３】
【図１】本発明の第１の実施形態に係る発電設備運転制御システムの構成を概略的に表した概略構成図。
【図２】本発明の第１の実施形態に係る発電設備運転制御システムの詳細構成図。
【図３】本発明の第２の実施形態に係る発電設備運転制御システムの運転モード選択手段の構成を表した構成図。
【図４】本発明の第３の実施形態に係る発電設備運転制御システムの運転モード選択手段の構成を表した構成図。
【図５】本発明の第３の実施形態に係る発電設備運転制御システムにおける運転モード選択手段の負荷降下モード選択部および通常停止モード選択部において設定される猶予時間を説明する説明図。
【図６】本発明の第４の実施形態に係る発電設備運転制御システムの運転モード選択手段の構成を表した構成図。
【図７】本発明の第４の実施形態に係る発電設備運転制御システムにおける運転モード選択手段の運転モード判定部が参照するテーブルデータの内容をテーブルデータ表として表した説明図。
【符号の説明】
【０１３４】
１，１Ａ，１Ｂ，１Ｃ  発電設備運転制御システム
２  発電設備
３  異常検知手段
４，４Ａ  運転モード選択手段
５  自動／手動切替手段
６  運転制御手段
７  管理用計算機
９  中央給電指令所
１１  異常検知装置
１３  通常運転維持モード選択部
１４  状態保持モード選択部
１５，１５Ａ  負荷降下モード選択部
１６，１６Ａ  通常停止モード選択部
１７  緊急停止モード選択部
１８  選択運転モード通知部
２０  切替スイッチ
２３  負荷制御装置
２４  起動／停止装置
２５  緊急停止装置
３０，３０Ａ  運転モード判定選択手段
３２，３２Ａ  運転モード判定部
３４  猶予時間発生部
４０  テーブルデータ表
４１  設定状態欄
【図１】
2006099469.tif 000003
【図２】
2006099469.tif 000004
【図３】
2006099469.tif 000005
【図４】
2006099469.tif 000006
【図５】
2006099469.tif 000007
【図６】
2006099469.tif 000008
【図７】
2006099469.tif 000009